(57)【要約】      （修正有）【課題】作業時の安全性および作業員の足裏への負担の軽減を図る電柱用足場ボルトを提供する。【解決手段】コンクリート製の電柱に複数個が固定される足場ボルト１１は、略Ｕ字状に形成された足場本体１２と、足場本体１２の両脚部１２ａが固定される取付金具１３と、取付金具１３のボルト孔に軸部１４ｂが挿通された固定ボルト１４と、を備えている。この取付金具１３の取付部１３ｃは、電柱２の外周の曲率に応じて弧状に形成されている。この足場ボルト１１は、固定ボルト１４の軸部１４ｂを電柱に埋設されたインサートに締結するにより、電柱に取り付けられる。【選択図】図２
2019190022.tif 000002
【特許請求の範囲】
【請求項１】
コンクリート製の電柱に複数個が取り付けられる足場ボルトであって、
前記各足場ボルトは、略Ｕ字状に形成された足場本体と、
前記足場本体の左右の脚部が固定される取付金具と、
前記取付金具のボルト孔に軸部が挿通された固定ボルトと、を備え、
前記固定ボルトの軸部を前記電柱に埋設されたインサートに締結することにより、前記電柱に取り付けられることを特徴とする足場ボルト。
【請求項２】
前記取付金具の前記電柱への取付部は、
前記電柱の外周の曲率に応じて弧状に形成されている
ことを特徴とする請求項１記載の足場ボルト。
【発明の詳細な説明】
【技術分野】
【０００１】
本発明は、コンクリート製の電柱に取り付けられる足場ボルトに関する。
【背景技術】
【０００２】
例えば特許文献１などの足場ボルトなどは、電線などを掛け渡すためのコンクリート製の電柱の外周に複数個が段階的に取り付けられ、配線工事や電気工事など電柱上の作業時の足場や昇降時のステップなどに使用されている。
【０００３】
図３に基づき概略を説明すれば、各足場ボルト１は頭部４と該頭部４に一体形成された軸部３とを備え、軸部３の一端側（頭部４の反対側）には図示省略の雄ねじ部が形成されている。
【０００４】
この雄ねじ部を電柱２に埋設された図示省略のインサートに締結し、足場ボルト１が電柱２に螺設されている。また、軸部３の他端側（頭部４側）に柱上安全帯の補助ロープ７用のフック６が係止される。
【０００５】
この補助ローブ７は、前記柱上安全帯の胴締ベルトの環体に接続され、作業員が足を滑らせた場合の落下防止を図っている。このとき足場ボルト１の頭部４によりフック６の外れが防止されている。なお、フック６については、例えば特許文献２が公知となっている。
【先行技術文献】
【特許文献】
【０００６】
【特許文献１】特開２００１−２５１４３
【特許文献２】特開２００２−１１３１１９
【発明の概要】
【発明が解決しようとする課題】
【０００７】
前述のように足場ボルト１は、電柱上の作業時の足場や昇降時のステップなどに使用されている。
【０００８】
しかしながら、足場ボルト１は、一本状に形成されているため、作業員が足を載せた場合に不安定となり易く、事故などを生じて作業の安全性を損なうおそれがある。また、作業員の足裏へ負担が大きいため、長時間作業などの場合に足裏に痛みが生じ、作業効率を悪化させるおそれもあった。
【０００９】
本発明は、このような従来の問題を解決するためになされ、電柱上の作業時の安全性および作業員の足裏への負担の軽減を図ることを解決課題としている。
【課題を解決するための手段】
【００１０】
（１）本発明は、コンクリート製の電柱に複数個が取り付けられる足場ボルトであって、
前記各足場ボルトは、略Ｕ字状に形成された足場本体と、
前記足場本体の左右の脚部が固定される取付金具と、
前記取付金具のボルト孔に軸部が挿通された固定ボルトと、を備え、
前記固定ボルトの軸部を前記電柱に埋設されたインサートに締結することにより、前記電柱に取り付けられることを特徴としている。
【００１１】
（２）本発明の一態様において、
前記取付金具の前記電柱への取付部は、
前記電柱の外周の曲率に応じて弧状に形成されている
ことを特徴としている。
【発明の効果】
【００１２】
本発明によれば、電柱上の作業時の安全性および作業員の足裏の痛みの緩和を図ることができる。
【図面の簡単な説明】
【００１３】
【図１】本発明の実施形態に係る足場ボルトを電柱に取り付けた状態を示す斜視図。
【図２】（ａ）は図１の足場ボルトの平面図、（ｂ）は同側面図、（ｃ）は同底面図、（ｄ）は同背面図、（ｅ）は同正面図。
【図３】従来の足場ボルトを電柱に取り付けた状態を示す斜視図。
【発明を実施するための形態】
【００１４】
以下、本発明の実施形態に係る足場ボルトを説明する。この足場ボルトは、従来と同様にコンクリート製の電柱に複数個が取り付けられ、また補助ロープ７用のフック６が係止される。
【００１５】
≪構成例≫
図１および図２に基づき前記各足場ボルトの構成を説明する。図１および図２中の１１は金属製の前記足場ボルトを示している。この足場ボルト１１は、略Ｕ字状に折曲形成された足場本体１２と、足場本体１２の左右の脚部１２ａが溶接などにより固定される取付金具１３と、取付金具１３を電柱２に固定する固定ボルト１４と、を備えている。
【００１６】
この足場本体１２の各脚部１２ａの平面には、図２（ａ）に示すように、滑り止め模様１２ｃが形成され、両脚部１２ａ間は連結部１２ｂにより連結されている。ここでは各脚部１２ａは、連結部１２ｂから折曲された後に延設されて取付金具１３の外面に溶着されている。このとき図２（ｂ）に示すように、連結部１２ｂと各脚部１２ａ間には段差が設けられ、脚部１２ａの肉厚Ｆ１が連結部１２ｂの肉厚Ｆ２よりも薄く設定されている。
【００１７】
この取付金具１３は、図２（ｂ）（ｅ）に示すように、横断面逆コ字状に形成され、足場本体１１の脚部１２ａが外面に溶着される底板１３ａと、底板１３ａの内面に立設された一対の側板１３ｂとを有している。この底板１３ａは、図２（ｄ）（ｅ）に示すように、横長長方形状に形成され、中心部には固定ボルト１４の軸部１４ｂが挿通される挿通孔（ボルト孔）が形成されている。なお、図２（ａ）〜（ｅ）は、前記挿通孔に固定ボルト１４の軸部１４ｂの挿通後の状態を示している。
【００１８】
一方、各側板１３ｂは、図２（ａ）（ｃ）に示すように、略矩形に形成され、上端中央には凹状の取付部１３ｃが形成され、取付部１３ｃは電柱２の外周２ａの曲率と同等の弧状に湾曲形成されている。また、固定ボルト１４の軸部１４ｂは、電柱２に埋設された図示省略のインサートに締結されている。
【００１９】
≪取付手順≫
以下、各足場ボルト１１の電柱２への取付手順を説明する。まず、取付金具１３の前記挿通孔に固定ボルトの軸部１４ｂを挿通し、取付部１３ｃを電柱２に埋設された前記インサートに対向させる。
【００２０】
つぎにボルト１４の頭部１４ａをスパナなどの工具で右回りに回転させて固定ボルト１４の軸部１４ｂを前記インサートの雌ねじ穴に螺入させる。この作業によりボルト１４の軸部１４ｂが前記雌ねじ穴に締結され、図１に示すように、足場ボルト１１が電柱２の外周２ａに取り付けられる。同様の手順で電柱２の外周２ａに複数の足場ボルト１１が取り付ける。
【００２１】
このように電柱２に取り付けられた各足場ボルト１１は、例えば配線工事や電気工事など電柱２上で作業する際、足場や昇り降りするステップなどとして使用される。
【００２２】
この足場ボルト１１には、従来と同様に柱上安全帯の補助ロープ７用のフック６が係止され、作業員が足を滑らせた場合などの落下防止を図っている。このとき足場本体１２が略Ｕ字状に形成されているため、いずれか一方の脚部１２ａ（肉厚Ｆ１の範囲）にフックを係止させればよく、フック６を係止させ易い構造となっている。
【００２３】
また、特許文献１など従来の足場ボルト１は、頭部４によりフック６のずれを防止しているものの、作業員の足により外側（電柱１の反対方向）に押し出された場合などにはフック６が頭部４を乗り越えて外れるおそれがあった。これに対して足場ボルト１１によれば、同様に押し出されてもフック６が外れる危険は皆無であり、この点で安全性が向上する。
【００２４】
また、足場ボルト１１によれば、足場本体１２が略Ｕ字状に形成されているため、作業員の足裏を左右の脚部１２ａ上に載せることができる。これにより作業員の足裏が両脚部１２ａで支えられ、載ったときの安定感が向上し、事故などにより作業の安全性に貢献できる。
【００２５】
さらに作業員の体重が左右の脚部１２ａに分散され、作業員の足の負担が軽減される。したがって、長時間作業などの場合に足裏の痛みを緩和でき、この点で作業性を向上させることができる。
【００２６】
そして、取付部１３ｃは、電柱２の外周２ａの曲率と同等の弧状に湾曲形成されているため、足場ボルト１１の取り付け後に電柱２の外周２ａに密着する。したがって、一方の脚部１２ａのみに荷重が加えられた場合にも足場本体１２が回転することがなく、これにより作業員が安心して載ることができ、この点でも作業性の安全性も確保することができる。
【００２７】
なお、本発明は、上記実施形態に限定されるものではなく、各請求項に記載さされた範囲内で変形して実施することができる。例えば滑り止め模様１２ｃは、両脚部１２ａの平面だけではなく、連結部１２ｂの平面に形成してもよい。また、連結部１２ｂと脚部１２ａ間の段差を廃止し、脚部の肉厚Ｆ１と連結部の肉厚Ｆ２とを同等としてもよい.
【符号の説明】
【００２８】
６…フック
７…補助ロープ
１１…足場ボルト
１２…足場本体
１２ａ…脚部
１２ｂ…連結部
１２ｃ…滑り止め模様
１３…取付金具
１３ａ…底板
１３ｂ…側板
１３ｃ…取付部
１４…固定ボルト
１４ａ…頭部
１４ｂ…軸部
【図１】
2019190022.tif 000003
【図２】
2019190022.tif 000004
【図３】
2019190022.tif 000005